(57)【要約】【課題】  ハンマーを前後方向に精度良くかつ容易に取り付けることができるアップライトピアノのバットを提供する。【解決手段】  棒状のハンマーシャンク４ａを有するハンマー４が固定され、鍵３の押鍵に伴って回動し、ハンマー４を後方に一体に回動させることにより打弦を行わせるアップライトピアノのバット１３であって、バット１３の上面には、ハンマーシャンク４ａを差し込んだ状態で取り付けるための取付穴１３ａ、１３ｂ、１３ｆが形成され、取付穴１３ａ、１３ｂ、１３ｆは、少なくとも下部１３ｃ、１３ｈにおいてハンマーシャンク４ａが前後方向に遊びなく係合するような前後方向の幅と、ハンマーシャンク４ａが左右方向に遊びをもって係合するような左右方向の幅とを有する。【選択図】  図２
2009075405.tif 000002
【特許請求の範囲】
【請求項１】
棒状のハンマーシャンクを有するハンマーが固定され、鍵の押鍵に伴って回動し、前記ハンマーを後方に一体に回動させることにより打弦を行わせるアップライトピアノのバットであって、
当該バットの上面には、前記ハンマーシャンクを差し込んだ状態で取り付けるための取付穴が形成され、当該取付穴は、少なくとも下部において前記ハンマーシャンクが前後方向に遊びなく係合するような前後方向の幅と、前記ハンマーシャンクが左右方向に遊びをもって係合するような左右方向の幅とを有することを特徴とするアップライトピアノのバット。
【請求項２】
前記取付穴は、上部において前記ハンマーシャンクが前後方向に遊びをもって係合するような前後方向の幅を有し、下部において前記ハンマーシャンクが前後方向に遊びなく係合するような前後方向の幅を有することを特徴とする、請求項１に記載のアップライトピアノのバット。
【請求項３】
前記取付穴の後縁が上下方向に直線状に延びていることを特徴とする、請求項１または２に記載のアップライトピアノのバット。
【発明の詳細な説明】
【技術分野】
【０００１】
本発明は、鍵の押鍵に伴って回動し、ハンマーシャンクを有するハンマーを後方に回動させることにより打弦を行わせるアップライトピアノのバットに関する。
【背景技術】
【０００２】
従来のアップライトピアノとして、例えば特許文献１に開示されたものが知られている。このアップライトピアノのバットは、一般的なものであり、バットには、棒状のハンマーシャンクを有するハンマーが固定されている。また、バットは、鍵の押鍵に伴ってハンマーと一体に後方に回動し、ハンマーが後方に張られた弦を打弦することによって、楽音が発生する。一方、このアップライトピアノは、消音タイプのものであり、ハンマーの付近に設けられたセンサや、スピーカなどで構成された楽音発生装置を備えている。このアップライトピアノは、通常演奏モードおよび消音演奏モードを有しており、通常演奏モード中には、上述したハンマーによる打弦により楽音を発生させる一方、消音演奏モード中には、ハンマーによる打弦を阻止し、センサでハンマーの回動角度位置を検出するとともに、その検出結果に応じて、楽音発生装置から楽音を発生させる。
【０００３】
アップライトピアノでは一般に、バットへのハンマーの取付は、次のようにして行われる。すなわち、バットに、ハンマーシャンクよりも若干大きな一定の径を有する円柱状の取付穴を形成するとともに、この取付穴にハンマーシャンクを差し込む。そして、バットに対するハンマーの前後方向（ハンマーの回動方向）および左右方向（鍵の並び方向）の位置（平面的な位置および角度）を、治具を用いてそれぞれの所定位置に調整するとともに、その状態で、ハンマーシャンクがバットに接着剤で接着され、ハンマーがバットに固定される。
【０００４】
さらに、アップライトピアノでは、ハンマーをバットに対して前後方向および左右方向の所定位置に取り付けることは、ハンマーの適切な打弦動作を確保する上で重要である。特に、上述した消音タイプのものでは、センサで検出されたハンマーの回動角度位置に応じて楽音を発生させるという構成上、ハンマーを前後方向の所定位置に精度良く取り付けることが、極めて重要である。これに対して、上述したように取付穴の径はハンマーシャンクよりも大きく、遊びがある。このため、例えば、ハンマーシャンクの接着に用いた接着剤の乾燥を、ハンマーシャンクを前方のハンマーレールにもたせかけた状態で行う場合には、その間、ハンマーレールからの反力がハンマーをバットに対して後方に傾かせるように作用することから、ハンマーが後方に傾き、その最終的な取付位置が所定位置に対して後方にずれてしまい、ハンマーをバットに前後方向に精度良く取り付けることができない。
【０００５】
上記のような不具合を解消するために、取付穴の径をハンマーシャンクと同じ大きさに設定し、遊びをなくすことが考えられるが、その場合には、ハンマーシャンクを取付穴が差し込みにくく、ハンマーの取付作業が非常に煩雑になってしまう。
【０００６】
本発明は、以上のような課題を解決するためになされたものであり、ハンマーを前後方向に精度良くかつ容易に取り付けることができるアップライトピアノのバットを提供することを目的とする。
【０００７】
【特許文献１】特開２００７−７９３１２号公報
【発明の開示】
【課題を解決するための手段】
【０００８】
上記の目的を達成するため、請求項１に係る発明は、棒状のハンマーシャンクを有するハンマーが固定され、鍵の押鍵に伴って回動し、ハンマーを後方に一体に回動させることにより打弦を行わせるアップライトピアノのバットであって、バットの上面には、ハンマーシャンクを差し込んだ状態で取り付けるための取付穴が形成され、取付穴は、少なくとも下部においてハンマーシャンクが前後方向に遊びなく係合するような前後方向の幅と、ハンマーシャンクが左右方向に遊びをもって係合するような左右方向の幅とを有することを特徴とする。
【０００９】
このアップライトピアノのバットの上面には、取付穴が形成されており、この取付穴にハンマーのハンマーシャンクが差し込まれた状態で、ハンマーがバットに固定される。また、上述したように、取付穴の左右方向の幅が、ハンマーシャンクが取付穴に左右方向に遊びをもって係合するように設定されているので、ハンマーシャンクを取付穴に差し込む際、容易に導きながら、その取付を容易に行うことができる。同じ理由から、バットに対するハンマーの左右方向の位置を所定位置になるように調整することが可能である。したがって、例えば、ハンマーの左右方向の中心で弦を打弦できるようにするための弦合わせを、適切に行うことができる。なお、本明細書において、「ハンマーの位置」とは、バットに対するハンマーシャンクの平面的な位置および角度をいうものとする。
【００１０】
さらに、取付穴の少なくとも下部の前後方向の幅が前述したように設定されていることにより、ハンマーシャンクが取付穴に前後方向に遊びなく係合するので、ハンマーシャンクを取付穴に差し込むだけで、取付穴の下部によって、ハンマーを前後方向の所定位置に容易にかつ精度良く位置決めできるとともに、その状態に保持できる。これにより、前述したようにハンマーをハンマーレールにもたせかけた状態で接着剤の乾燥を行う場合でも、ハンマーレールからの反力によりハンマーがバットに対して後方に傾くのを防止できる。以上により、ハンマーの取付を、前後方向についてはその精度を確保し、左右方向については調整の余地を残しながら、容易に行うことができる。
【００１１】
請求項２に係る発明は、請求項１に記載のアップライトピアノのバットにおいて、取付穴は、上部においてハンマーシャンクが前後方向に遊びをもって係合するような前後方向の幅を有し、下部においてハンマーシャンクが前後方向に遊びなく係合するような前後方向の幅を有することを特徴とする。
【００１２】
この構成によれば、取付穴の上部の幅が、左右方向だけでなく、前後方向についても、ハンマーシャンクが取付穴に遊びをもって係合するように設定されているので、ハンマーシャンクを取付穴に差し込む際に、容易に導くことができる。また、取付穴の下部においては、請求項１と同様、ハンマーシャンクが取付穴に前後方向に遊びなく係合するので、ハンマーの前後方向の取付精度を確保しながら、上記の効果を得ることができる。
【００１３】
請求項３に係る発明は、請求項１または２に記載のアップライトピアノのバットにおいて、取付穴の後縁が上下方向に直線状に延びていることを特徴とする。
【００１４】
この構成によれば、取付穴の後縁が上下方向に直線状に延びているので、取付穴の後縁とハンマーシャンクの後面との間に大きな接触面積を確保でき、したがって、ハンマーの取付のための接着剤の乾燥中に、ハンマーがバットに対して後方に傾くのを、より確実に防止することができる。
【発明を実施するための最良の形態】
【００１５】
以下、図面を参照しながら、本発明の好ましい実施形態について説明する。図１は、本実施形態によるバット１３を適用したアップライト型の消音ピアノのアクション１などを、離鍵状態において示している。以下の説明では、演奏者から見て手前側（図１の右側）を「前」、奥側（図１の左側）を「後」とし、さらに左側および右側をそれぞれ「左」および「右」とする。なお、便宜上、図１では、ハッチングを省略するものとする。
【００１６】
図１に示すように、この消音ピアノは、平板状の棚板２と、この棚板２に載置された白鍵３ａおよび黒鍵３ｂから成る多数の鍵３（例えば８８個）と、鍵３の後部上方に設けられたアクション１と、アクション１の後方に鍵３ごとに張設された弦Ｓと、弦Ｓを打弦するためのハンマー４と、鍵３の押鍵情報を含むタッチ情報を検出するタッチ検出装置と、楽音を電子的に発生させるための楽音発生装置（いずれも図示せず）を備えている。これらのハンマー４およびタッチ検出装置はいずれも、鍵３ごとに設けられている（いずれも１つのみ図示）。この消音ピアノは、演奏モードとして次の２つの演奏モードを有しており、その切換は、演奏者によるスイッチ（図示せず）の操作に応じて行われる。
通常演奏モード：ハンマー４による弦Ｓの打弦によってアコースティックな楽音を発生させる演奏モード
消音演奏モード：ハンマー４による打弦を阻止した状態で、楽音発生装置によって楽音を発生させる演奏モード
【００１７】
また、棚板２上には、バランスレール２ａが設けられており、このバランスレール２ａには、鍵３ごとにバランスピン２ｂが立設されている（１つのみ図示）。鍵３は、このバランスピン２ｂに回動自在に支持されている。
【００１８】
各ハンマー４は、ハンマーシャンク４ａおよびハンマーヘッド４ｂを有している。ハンマーシャンク４ａは、一定径の円形の断面を有する細長い棒状のものであり、アクション１の後述するバット１３の上面に立設され、上下方向に延びている。ハンマーヘッド４ｂは、ハンマーシャンク４ａの上端部に設けられている。以上の構成のハンマー４は、離鍵状態では、ハンマーシャンク４ａがハンマーレール２１に後方から当接するとともに、ハンマーヘッド４ｂが弦Ｓに対向している。
【００１９】
アクション１は、鍵３の押鍵に伴ってハンマー４を回動させるためのものであり、各鍵３の後部にキャプスタンスクリュー３ｃを介して載置されたウイッペン１１と、ウイッペン１１に取り付けられたジャック１２と、ジャック１２の上方に、鍵３ごとに設けられたバット１３を備えている（いずれも１つのみ図示）。各ウイッペン１１は、前後方向に延びており、その後端部においてセンターレール２２に回動自在に支持されている。ジャック１２は、上下方向に延びる突き上げ部１２ａと、その下端部から前方にほぼ直角に延びる係合部１２ｂとから、Ｌ字状に形成されており、その角部においてウイッペン１１に回動自在に取り付けられている。また、離鍵状態では、ジャック１２の突き上げ部１２ａの先端は、バット１３に係合している。さらに、センターレール２２の後端部には、ダンパー２３が回動自在に取り付けられている。
【００２０】
バット１３は、例えば合成樹脂により所定の形状に形成されており、その下端部において、センターレール２２に回動自在に取り付けられている。また、図２〜図４に示すように、バット１３の上面の所定位置には、ハンマーシャンク４ａを差し込んだ状態で取り付けるための取付穴１３ａが形成されている。この取付穴１３ａは、その左右方向の幅（以下「左右幅」という）ＷＬＲが前後方向の幅（以下「前後幅」という）ＷＦＲよりも若干大きな小判状の平断面を有しており、一定の断面で上下方向に延びている。また、取付穴１３ａの前後幅ＷＦＲは、ハンマーシャンク４ａの径と同じ大きさの第１所定値Ｗ１に設定されており、それにより、ハンマーシャンク４ａが取付穴１３ａに前後方向に遊びなく係合するようになっている。また、取付穴１３ａの左右幅ＷＬＲは、ハンマーシャンク４ａの径よりも若干大きな第２所定値Ｗ２に設定されており、それにより、ハンマーシャンク４ａが取付穴１３ａに左右方向に遊びをもって係合するようになっている。さらに、取付穴１３ａは、バット１３の上面に対してほぼ垂直に延びており、その深さが所定の大きさに設定されている。
【００２１】
以上の構成のバット１に、ハンマー４は次のようにして取り付けられる。すなわち、まず、ハンマーシャンク４ａを取付穴１３ａに差し込む。上述したように、取付穴１３ａの前後幅ＷＦＲがハンマーシャンク４ａの径と同じ大きさであるので、この差込によって、ハンマーシャンク４ａが取付穴１３ａに前後方向に遊びなく係合し、バット１３に対してハンマー４が、前後方向の所定位置に位置決めされるとともに、その状態に保持される。また、取付穴１３ａの左右幅ＷＬＲがハンマーシャンク４ａの径よりも大きいので、この状態では、ハンマーシャンク４ａは、取付穴１３ａに左右方向に遊びをもって係合する。次いで、バット１３に対するハンマー４の左右方向の位置を、例えば、ハンマーヘッド４ｂの左右方向の中心が対応する弦Ｓに当たるように、治具を用いて調整する（弦合わせする）とともに、その状態で、ハンマーシャンク４ａをバット１３に接着剤で接着し、ハンマー４をバット１３に固定する。この場合、接着剤の乾燥は、ハンマーシャンク４ａを前方のハンマーレール２１にもたせかけた状態（図１の実線の状態）で行われる。以上により、ハンマー４は、バット１３の前後方向および左右方向の所定位置に取り付けられる。
【００２２】
前述したタッチ検出装置は、ハンマー４に一体に設けられた、矩形の板状のシャッタ３１と、このシャッタ３１の後方の所定位置に設けられた第１および第２の光センサ３２，３３を有している。第１および第２の光センサ３２，３３はそれぞれ、一対の発光ダイオードおよびフォトトランジスタなどで構成されている（いずれも図示せず）。以上の構成のタッチ検出装置では、ハンマー４が所定の第１回動角度位置に位置しているときに、そのことを表す検出信号が第１光センサ３２から楽音発生装置に出力されるとともに、第１回動角度位置よりも大きな所定の第２回動角度位置に位置しているときに、そのことを表す検出信号が第２光センサ３３から楽音発生装置に出力される。このように、タッチ検出装置は、ハンマー４の回動角度位置を鍵３の押鍵情報を含むタッチ情報として検出する。
【００２３】
前述した楽音発生装置は、ＣＰＵや、アンプ、スピーカ（いずれも図示せず）を有しており、第１および第２の光センサ３２，３３からの検出信号に応じ、楽音を電子的に生成し、発生させる。
【００２４】
また、図１に示すように、ハンマー４と弦Ｓの間には、ストッパ４１が設けられている。このストッパ４１は、消音演奏モード時に、ハンマー４による弦Ｓの打弦を阻止するためのものであり、本体部４１ａと、その先端面に取り付けられたクッション（図示せず）などで構成されている。ストッパ４１は、本体部４１ａの基端部において支点４１ｂに回動自在に支持されており、モータ（図示せず）によって駆動される。ストッパ４１は、通常演奏モード中には、上下方向に延び、ハンマー４のハンマーシャンク４ａの回動範囲内から退避した退避位置（図１の実線位置）に駆動される一方、消音演奏モード時には、前後方向に延び、ハンマーシャンク４ａの回動範囲内に進入した進入位置（図１の点線位置）に駆動される。なお、このモータは、楽音発生装置からの駆動信号によって駆動される。
【００２５】
以上の構成により、この消音ピアノでは、鍵３が押鍵されると、鍵３はバランスピン２ｂを中心として図１の時計回りに回動し、この回動に伴ってウイッペン１１が反時計回りに回動する。このウイッペン１１の回動に伴い、ジャック１２がウイッペン１１と一緒に上方に移動し、その突き上げ部１２ａがバット１３を突き上げることによって、ハンマー４がバット１３と一体に反時計回りに、すなわち後方に回動する。通常演奏モード時には、ストッパ４１が上記の退避位置に駆動されることによって、ハンマーヘッド４ｂが弦Ｓを打弦し、楽音が発生する。
【００２６】
一方、消音演奏モード時には、ストッパ４１が上記の進入位置に駆動されることによって、ハンマーヘッド４ｂが弦Ｓを打弦する直前で、ハンマーシャンク４ａがストッパ４１に当接し、弦Ｓの打弦が阻止される。また、このハンマー４の回動に伴い、第１および第２の光センサ３２，３３から、ハンマー４の回動角位置に応じた検出信号が楽音発生装置に出力され、それに応じて、楽音発生装置から楽音が発生する。
【００２７】
以上のように、本実施形態によれば、前述したような取付穴１３ａの前後幅ＷＦＲおよび左右幅ＷＬＲの設定によって、ハンマーシャンク４ａが前後方向には遊びなく、左右方向には遊びをもって取付穴１３ａに係合するので、ハンマー４の取付を、前後方向についてはその精度を確保し、左右方向については弦合わせなどの調整の余地を残しながら、容易に行うことができる。また、取付穴１３ａの後縁が上下方向に直線状に延びているので、ハンマー４の取付のための接着剤の乾燥中に、ハンマーレール２１からの反力によりハンマー４がバット１３に対して後方に傾くのを、確実に防止することができる。
【００２８】
図５〜図７は、バット１３の取付穴の第１変形例を示している。第１変形例では、取付穴１３ｂは、その下部１３ｃが上述した実施形態の取付穴１３ａと同様に形成されており、上部１３ｄが、上述した実施形態と異なり、下部１３ｃに対して前後の両側に広がっている。具体的には、上部１３ｄは、一定径の円柱状に形成され、その径が下部１３ｃの左右方向の幅と同じ第２所定値Ｗ２に設定されており、その前後の縁が曲線状の移行部１３ｅを介して下部１３ｃに連続している。
【００２９】
以上のように、この第１変形例によれば、取付穴１３ｂの下部１３ｃの前後方向の幅が、ハンマーシャンク４ａの径と同じ大きさの第１所定値Ｗ１に設定されており、上述した実施形態と同様、取付穴１３ｂの左右方向の幅が、ハンマーシャンク４ａの径よりも若干大きな第２所定値Ｗ２に設定されている。したがって、上述した実施形態と同様、ハンマーシャンク４ａが、前後方向には遊びなく、左右方向には遊びをもって取付穴１３ｂに係合するので、ハンマー４の取付を、前後方向についてはその精度を確保し、左右方向については調整の余地を残しながら、容易に行うことができる。また、取付穴１３ｂの上部１３ｄの径すなわち前後方向および左右方向の幅が、ハンマーシャンク４ａの径よりも大きいので、ハンマーシャンク４ａを取付穴１３ｂに差し込む際、容易に導くことができる。さらに、上部１３ｄと下部１３ｃの間が曲線状の移行部１３ｅになっており、両者１３ｄ，１３ｃの間で断面が徐々に変化しているので、鍵３の突き上げ力が作用したときの応力集中、およびそれによるバット１３への悪影響を回避することができる。
【００３０】
図８〜図１０は、取付穴の第２変形例を示している。第２変形例では、第１変形例と比較して、取付穴１３ｆの上部１３ｇが下部１３ｈに対して前方にのみ広がっている点のみが異なっており、取付穴１３ｆの後縁は上下方向に直線状に延び、上部１３ｇの前縁は、曲線状の移行部１３ｉを介して下部１３ｈに連続している。また、上部１３ｇの前後方向の幅は、第１所定値Ｗ１よりも若干大きく、第２所定値Ｗ２よりも若干小さな第３所定値Ｗ３に設定されている。
【００３１】
したがって、この第２変形例によれば、第１変形例で述べた効果を同様に得ることができる。また、前述した実施形態と同様、取付穴１３ｆの後縁が上下方向に直線状に延びているので、接着剤の乾燥中におけるハンマーレール２１からの反力による不具合を、確実に防止することができる。さらに、上部１３ｇと下部１３ｈの間が曲線状の移行部１３ｉになっているので、第１変形例と同様、鍵３の突き上げ力が作用したときの応力集中、およびそれによるバット１３への悪影響を回避することができる。なお、第１および第２の変形例において、移行部１３ｅ，１３ｉを直線状に形成してもよい。
【００３２】
なお、本発明は、説明した実施形態に限定されることなく、種々の態様で実施することができる。例えば、実施形態では、取付穴１３ａ、取付穴１３ｂの下部１３ｃ、および取付穴１３ｆの下部１３ｈの前後方向の幅を、ハンマーシャンク４ａの径と同じ大きさに設定しているが、前者を後者よりも若干小さめに設定するとともに、ハンマーシャンク４ａを取付穴１３ａ、１３ｂ、１３ｆに圧入することによって、前後方向に遊びなく係合させるようにしてもよい。また、取付穴１３ａ、１３ｂ、１３ｆの左右方向の幅は、弦合わせを適切に行えるようなものであれば、任意に設定可能である。
【００３３】
さらに、実施形態では、ハンマーシャンク４ａの断面形状が円形であるが、他の形状、例えば、多角形や楕円形でもよいことは、もちろんである。その場合、取付穴１３ａ、１３ｂ、１３ｆの断面形状は、ハンマーシャンク４ａの断面形状に応じて決定される。また、実施形態は、アップライト型の消音ピアノの例であるが、本発明は、アップライト型であれば、他のピアノ、例えば、アコースティックタイプのアップライトピアノや自動演奏型のアップライトピアノに適用してもよいことはもちろんである。その他、本発明の趣旨の範囲内で、細部の構成を適宜、変更することが可能である。
【図面の簡単な説明】
【００３４】
【図１】本実施形態によるバットを適用したアクションなどの側面図である。
【図２】図１のバットの平面図である。
【図３】図２の線Ａ−Ａに沿う部分断面図である。
【図４】図２の線Ｂ−Ｂに沿う部分断面図である。
【図５】第１変形例によるバットの平面図である。
【図６】図５の線Ｃ−Ｃに沿う部分断面図である。
【図７】図５の線Ｄ−Ｄに沿う部分断面図である。
【図８】第２変形例によるバットの平面図である。
【図９】図８の線Ｅ−Ｅに沿う部分断面図である。
【図１０】図８の線Ｆ−Ｆに沿う部分断面図である。
【符号の説明】
【００３５】
Ｓ  弦
３  鍵
４  ハンマー
４ａ  ハンマーシャンク
１３  バット
１３ａ  取付穴
１３ｂ  取付穴
１３ｃ  下部
１３ｄ  上部
１３ｆ  取付穴
１３ｇ  上部
１３ｈ  下部
【図１】
2009075405.tif 000003
【図２】
2009075405.tif 000004
【図３】
2009075405.tif 000005
【図４】
2009075405.tif 000006
【図５】
2009075405.tif 000007
【図６】
2009075405.tif 000008
【図７】
2009075405.tif 000009
【図８】
2009075405.tif 000010
【図９】
2009075405.tif 000011
【図１０】
2009075405.tif 000012